(57)【特許請求の範囲】
【請求項１】
筒状をなす口部、該口部に連なると共に該口部よりも拡径した胴部、及び該胴部に連なる底部を有するボトル状をなす外層体と、該外層体の内側に収容され、該外層体の形状に対応した形状を有すると共に減容変形可能な内層体とを備え、前記口部に、前記外層体を貫通すると共に前記外層体と前記内層体との間に空気を導入する少なくとも１つの空気導入孔が設けられた二重容器において、
前記口部に設けられ、該口部に注出具を打栓によって装着させるための打栓用係止部と、
前記口部に周設されたネックリングと、
少なくとも前記胴部の上部に設けられ、前記口部から前記底部に向かう方向に延びる複数のリブとを備え、
前記ネックリングは、前記口部を形成する周壁が径方向外側に凸となるように屈曲することで拡径した少なくとも１つのリング拡径部と、前記少なくとも１つのリング拡径部に周方向に隣接すると共に該リング拡径部よりも拡径を抑えた少なくとも１つのリング間欠部とを備え、
前記複数のリブは、前記少なくとも１つのリング拡径部の直下に上端が配置された少なくとも１つの拡径部リブと、前記少なくとも１つの空気導入孔の直下に位置する前記少なくとも１つのリング間欠部の直下に上端が配置された少なくとも１つの間欠部リブとを備え、
前記少なくとも１つの間欠部リブは、前記少なくとも１つの拡径部リブの上端よりも上方に延長された延長部を備えることを特徴とする二重容器。
【請求項２】
前記ネックリングは前記口部の下端部よりも上方に設けられており、
前記延長部は、前記口部の下端部を越えて延在している、請求項１に記載の二重容器。
【発明の詳細な説明】
【技術分野】
【０００１】
本発明は、口部、胴部、及び底部を有するボトル状をなす外層体と、該外層体の内側に収容され、減容変形可能な内層体とを備え、口部に空気導入孔が設けられた二重容器に関し、特に、空気導入孔からの十分な気道の確保と、口部に対する注出具の打栓作業の安定化との双方を可能にするものである。
【背景技術】
【０００２】
化粧水などの化粧料や、シャンプーやリンスあるいは液体石鹸、また食品調味料などを収納する容器としては、内容物を収容する収容部を備えた内層体と、この内層体を剥離可能に収容する外層体とを備え、内層体を減容変形させて内容物を注出する一方、外層体の口部に設けた空気導入孔から内層体と外層体との間に外気を導入して容器の外形を保持できるようにした二重容器が知られている（例えば特許文献１参照）。この種の容器は、内容物と外気との置換を行うことなく、注出を行うことができるので、内容物の外気との接触を減らして、その劣化や変質を抑制することができる。
【先行技術文献】
【特許文献】
【０００３】
【特許文献１】特開２００７−２９０７４６号公報
【発明の概要】
【発明が解決しようとする課題】
【０００４】
このような二重容器としては、金型を用いて積層パリソンをダイレクトブロー成形することにより形成されるデラミ容器とも呼ばれる積層剥離容器が知られている。この場合二重容器は、相溶性の低い外層用の合成樹脂と内層用の合成樹脂とを共押出して積層パリソンとし、この積層パリソンを、金型を用いてブロー成形することにより、外層体と内層体とが密着した積層構造に形成される。そのため、ブロー成形の後に、例えば、空気導入孔から空気を圧送し、または口部から負圧吸引をして内層体を収縮させて、その全体を外層体から剥離させ、次いで、内層体の内部に空気を送り込み、その全体を再度外層体に密着させて、収容物の注出時に、内層体が外層体から剥離し易くなるようにしている。
【０００５】
しかしながら、従来の二重容器では、前記のように、ブロー成形後に、内層体を一旦外層体から全剥離するようにしても、内層体は、その外面全体が再度外層体の内面全体に密着するので、収容物の注出時に、空気導入孔から外層体と内層体の間へ空気が入り難くなって、内層体の剥離不良や外層体の変形を生じる場合があった。
【０００６】
また、このような二重容器としては、不正開封を防止する効果を得る目的から、注出キャップなどの注出具を口部に打栓によって装着するようにしたものが知られており、この場合二重容器は、口部にネックリングが形成され、該ネックリングの下面を支持具で支持した状態で、口部に注出具が打栓される。しかしながら、従来の二重容器では、ブロー成形により、口部を形成する周壁が径方向外側に凸となるように屈曲することで拡径したネックリングが形成されるため、打栓時にネックリングが上下に潰れるように撓んでしまい、安定した打栓作業を実現することができなかった。
【０００７】
本発明は、このような従来の課題を解決するために開発されたもので、空気導入孔からの十分な気道の確保と、口部に対する注出具の打栓作業の安定化との双方を可能にすることができる二重容器を提供することを目的とする。
【課題を解決するための手段】
【０００８】
すなわち、本発明の要旨構成は以下のとおりである。
１．筒状をなす口部、該口部に連なると共に該口部よりも拡径した胴部、及び該胴部に連なる底部を有するボトル状をなす外層体と、該外層体の内側に収容され、該外層体の形状に対応した形状を有すると共に減容変形可能な内層体とを備え、前記口部に、前記外層体を貫通すると共に前記外層体と前記内層体との間に空気を導入する少なくとも１つの空気導入孔が設けられた二重容器において、
前記口部に設けられ、該口部に注出具を打栓によって装着させるための打栓用係止部と、
前記口部に周設されたネックリングと、
少なくとも前記胴部の上部に設けられ、前記口部から前記底部に向かう方向に延びる複数のリブとを備え、
前記ネックリングは、前記口部を形成する周壁が径方向外側に凸となるように屈曲することで拡径した少なくとも１つのリング拡径部と、前記少なくとも１つのリング拡径部に周方向に隣接すると共に該リング拡径部よりも拡径を抑えた少なくとも１つのリング間欠部とを備え、
前記複数のリブは、前記少なくとも１つのリング拡径部の直下に上端が配置された少なくとも１つの拡径部リブと、前記少なくとも１つの空気導入孔の直下に位置する前記少なくとも１つのリング間欠部の直下に上端が配置された少なくとも１つの間欠部リブとを備え、
前記少なくとも１つの間欠部リブは、前記少なくとも１つの拡径部リブの上端よりも上方に延長された延長部を備えることを特徴とする二重容器。
【０００９】
２．前記ネックリングは前記口部の下端部よりも上方に設けられており、
前記延長部は、前記口部の下端部を越えて延在している、前記１に記載の二重容器。
【発明の効果】
【００１０】
本発明によれば、ネックリングにおける、少なくとも１つのリング拡径部よりも拡径を抑えた少なくとも１つのリング間欠部によって、打栓時にネックリングに作用する応力に対する座屈強度を向上することができる。また、本発明によれば、内層体と外層体との間に一端隙間を形成すれば、内層体と外層体に設けられた複数のリブによって内層体と外層体との再密着が防止され、複数のリブの周辺に隙間を確保することができる。そして、少なくとも１つの間欠部リブに延長部を設けたことで、このようにして確保される隙間をネックリングの少なくとも１つのリング間欠部を通じて、少なくとも１つの空気導入孔までつなげることができるため、十分な気道を確保することができる。
【００１１】
したがって、本発明によれば、空気導入孔からの十分な気道の確保と、口部に対する注出具の打栓作業の安定化との双方を可能にすることができる二重容器を提供することができる。
【図面の簡単な説明】
【００１２】
【図１】本発明の一実施形態に係る二重容器を示す平面図である。
【図２】図１の二重容器の側面図である。
【図３】図２とは９０°異なる角度から見た二重容器の側面図である。
【図４】（ａ）は図２のＡ−Ａ断面図であり、（ｂ）は図２のＢ−Ｂ断面図である。
【図５】（ａ）は図２のＣ−Ｃ断面図であり、（ｂ）は図２のＤ−Ｄ断面図であり、（ｃ）は図２のＥ−Ｅ断面図である。
【図６】（ａ）は二重容器の比較例１の側面図であり、（ｂ）は二重容器の比較例２の側面図であり、（ｃ）は二重容器の比較例３の側面図である。
【発明を実施するための形態】
【００１３】
以下、図１〜図５を参照して、本発明の一実施形態に係る二重容器１について詳細に例示説明する。
なお、本明細書において、上下方向とは、二重容器１の正立状態を基準とし、上方とは図２における上方、下方とは図２における下方を意味するものとする。
【００１４】
図１〜図３に示すように、本実施形態に係る二重容器１は、円筒状をなす口部１１と、上部が口部１１に連なる円錐状をなすと共に下部が円筒状をなす胴部１２と、該胴部１２に連なる略円板状をなす底部１３とを有するボトル状をなす外層体１０を備えている。胴部１２は可撓性を有しており、スクイズされて凹むことができるとともに、凹んだ状態から元の形状に復元することができる。
【００１５】
また、二重容器１は、内層体（図示省略）を備えており、該内層体は、外層体１０の形状に対応した形状を有すると共に減容変形可能に構成されている。内層体は、外層体１０よりも薄肉の袋状に形成されており、その外面は外層体１０の内面に剥離可能に密着している。内層体の開口部は、外層体１０の口部１１の開口端に連ねられ、内層体の内部は、開口部に連なる収容部となっている。この収容部には、例えば、化粧水などの化粧料、シャンプーやリンスあるいは液体石鹸、また食品調味料などの液体状の内容物が収納される。
【００１６】
本実施形態では、二重容器１は、相溶性の低い外層用の合成樹脂と、内層用の合成樹脂とを共押出して積層パリソンを形成し、この積層パリソンを、金型を用いてブロー成形することにより、外層体１０の内面に内層体が剥離可能に密着した積層構造に形成されるデラミ容器とも呼ばれる積層剥離容器として構成されている。なお、二重容器１は、このようなダイレクトブロー成形によるものに限らず、例えば積層構造のプリフォームを二軸延伸ブロー成形することにより形成される積層剥離容器として構成してもよい。また、二重容器１は、外層体１０と内層体とを別々に形成した後、内層体を外層体１０の内部に組み込むようにした構成の二重容器１としてもよい。
【００１７】
口部１１には、例えば、注出用弁が配設された注出キャップ、各種ノズルまたは注出ポンプ等の注出具（図示省略）が打栓によって装着され、これらの注出具を介して、内容物が注出される。このような二重容器１は、口部１１に注出用弁が配設された注出キャップを装着した場合には、外層体１０の胴部１２をスクイズすることによって、口部１１から内容物を注出することができる。内容物の注出後、外層体１０が元の形状に復元する際には、後述する空気導入孔１１ｂから外層体１０と内層体との間に外気が流入するので、内層体の収容部を減容させたまま、外層体１０を元の形状に復元させることができる。したがって、内容物を注出しても、口部１１から内層体の収容部の内部へ外気が流入することがないので、収容部に収容された内容物は空気に触れることなく、その劣化が防止される。また、外層体１０を傾けることにより、内層体の収容部に収容した内容物を自重で口部１１から注出することもできる。なお、口部１１にポンプを装着した場合には、外層体１０として可撓性を有していないものを用いることができる。
【００１８】
口部１１には、該口部１１に注出具を打栓によってアンダーカット係合させて装着させるための打栓用係止部として、係止突起１１ａが設けられている。係止突起１１ａは、注出具の装着筒の内周面に設けられた係止溝とアンダーカット係合することで、注出具を口部１１に係止することができる。係止突起１１ａは、平面視において、口部１１の中心軸線と一致する二重容器１の中心軸線Ｏを挟んで対向する２箇所に間欠部を有する一対の円弧状をなしている。
【００１９】
外層体１０の口部１１における係止突起１１ａの間欠部のやや下方には、軸線Ｏを挟んで対向する２箇所に円形の空気導入孔１１ｂが設けられている。これら一対の空気導入孔１１ｂは、外層体１０を貫通すると共に外層体１０と内層体との間に連通しており、内層体が外層体１０から剥離したときに、空気を導入することができる。
【００２０】
口部１１における空気導入孔１１ｂの下方には、口部１１を形成する周壁が下方に向かって拡径するように屈曲した段差部１１ｃが周設されている。段差部１１ｃは、空気導入孔１１ｂへの外気の導入を可能とする一方、空気導入孔１１ｂからの空気の漏れを防止する外気導入弁を備える注出具を口部１１に装着する場合に、該注出具の装着筒の下端部に密接することで、当該装着筒の下端部から空気が漏れ出すことを防止することができる。
【００２１】
口部１１における段差部１１ｃの下方には、ネックリング１１ｄが周設されている。ネックリング１１ｄは、周方向に間隔を空けて配置されると共に口部１１を形成する周壁が径方向外側に凸となるように屈曲することで拡径した（図５（ｂ）参照）４つのリング拡径部１１ｄ１を備えている。また、これらリング拡径部１１ｄ１の間には、これらリング拡径部１１ｄ１よりも拡径を抑えた４つのリング間欠部１１ｄ２が配置されている。
【００２２】
４つのリング間欠部１１ｄ２は、２つの空気導入孔１１ｂの直下に位置する２つの第１リング間欠部１１ｄ２１と、周方向においてこれら第１リング間欠部１１ｄ２１の間に位置する２つの第２リング間欠部１１ｄ２２とからなっている。第１リング間欠部１１ｄ２１は、図５（ｃ）に示すように、口部１１を形成する周壁が縦断面Ｖ字状をなすように屈曲することで形成されている。また、第２リング間欠部１１ｄ２２は、図１に示したように、口部１１を形成する周壁が横断面Ｖ字状をなすように屈曲することで形成されている。
【００２３】
胴部１２の上部には、一対の空気導入孔１１ｂに対応する一対のリブ群１４Ａが形成されている。一対のリブ群１４Ａは、それぞれ、口部１１から底部１３に向かう方向に放射状に延びる４つのリブ１４からなっている。４つのリブ１４は、リング拡径部１１ｄ１の直下に上端１４ａ１が配置された２つの拡径部リブ１４ａと、第１リング間欠部１１ｄ２１の直下に上端１４ｂ１が配置された２つの間欠部リブ１４ｂとからなっている。間欠部リブ１４ｂは、拡径部リブ１４ａの上端１４ａ１よりも上方に延長された延長部１４ｂ２を備えている。
【００２４】
また、４つのリブ１４は、図４（ａ）、（ｂ）及び図５（ａ）に示すように、径方向内側に向けて凹む凹溝を形成している。また、延長部１４ｂ２が形成する凹溝の深さは、該延長部１４ｂ２の直下の部分よりも浅くなっている。さらに、延長部１４ｂ２の上端、すなわち間欠部リブ１４ｂの上端１４ｂ１は、口部１１の下部まで延びている。すなわち、ネックリング１１ｄは口部１１の下端部よりも上方に設けられており、延長部１４ｂ２は、口部１１の下端部を越えて延在している。
【００２５】
二重容器１にこのようなリブ群１４Ａを設けたことにより、一旦、内層体が外層体１０から剥離されると、内層体のリブが、外層体１０のリブ１４に再度密着することが困難となり、外層体１０のリブ１４と内層体のリブとの周りに隙間が維持される。また、空気導入孔１１ｂの直下に第１リング間欠部１１ｄ２１を配置し、第１リング間欠部１１ｄ２１の直下に間欠部リブ１４ｂの延長部１４ｂ２の上端１４ｂ１を配置したことにより、外層体１０のリブ１４と内層体のリブとの周りに維持される隙間を空気導入孔１１ｂにつなげることができる。
【００２６】
例えば、この二重容器１のブロー成形の後に、負圧吸引により内層体を収縮させて、その全体を外層体１０から剥離させ、次いで、内層体の内部に空気を送り込むと、外層体１０のリブ１４と内層体のリブとの間、及び外層体１０の第１リング間欠部１１ｄ２１と内層体の第１リング間欠部との間に隙間を維持しつつ、内層体の他の部分を外層体１０の内面に密着させることができる。したがって、内層体に内容物を収容後、この内容物を口部１１から注出する際には、第１リング間欠部１１ｄ２１とリブ１４との周りの隙間が通気路となって、空気導入孔１１ｂから流入した外気は、胴部１２の底部１３の側における外層体１０と内層体の間にまで、容易に流入することができる。これにより、内層体を外層体１０から剥がれ易くして、二重容器１の内層体の剥離不良や外層体１０の変形を防止することができる。
【００２７】
また、口部１１は、ブロー成形時に殆ど延伸を加えられないため、胴部１２よりも肉厚が厚く形成されることになる。したがって、このように肉厚が厚い口部１１では、胴部１２よりも気道の確保が難しくなるが、前述したように延長部１４ｂ２を口部１１の下端部を越えて延在させることで、より確実に通気路を確保することが可能となる。
【００２８】
また、二重容器１にネックリング１１ｄを設けたことにより、口部１１に注出具を打栓によって装着する際に、ネックリング１１ｄの拡径部リブ１４ａの下面を支持具で支持した状態で、口部１１に注出具を打栓することができる。またこのとき、ネックリング１１ｄにはリング拡径部１１ｄ１よりも拡径を抑えたリング間欠部１１ｄ２が設けられているので、リング間欠部１１ｄ２を柱部として機能させることで、打栓時の応力に対するネックリング１１ｄの座屈強度を向上させることができる。したがって、二重容器１によれば、口部１１に対する注出具の打栓作業の安定化を実現することができる。
【００２９】
以上説明したように、本実施形態に係る二重容器１は、筒状をなす口部１１、該口部１１に連なると共に該口部１１よりも拡径した胴部１２、及び該胴部１２に連なる底部１３を有するボトル状をなす外層体１０と、該外層体１０の内側に収容され、該外層体１０の形状に対応した形状を有すると共に減容変形可能な内層体とを備え、口部１１に、外層体１０を貫通すると共に外層体１０と内層体との間に空気を導入する少なくとも１つの空気導入孔１１ｂが設けられた構成になっている。
【００３０】
また、二重容器１は、口部１１に設けられ、該口部１１に注出具を打栓によって装着させるための打栓用係止部（係止突起１１ａ）と、口部１１に周設されたネックリング１１ｄと、少なくとも胴部１２の上部に設けられ、口部１１から底部１３に向かう方向に延びる複数のリブ１４とを備えるという構成になっている。
【００３１】
また、二重容器１は、ネックリング１１ｄが、口部１１を形成する周壁が径方向外側に凸となるように屈曲することで拡径した少なくとも１つのリング拡径部１１ｄ１と、少なくとも１つのリング拡径部１１ｄ１に周方向に隣接すると共に該リング拡径部１１ｄ１よりも拡径を抑えた少なくとも１つのリング間欠部１１ｄ２とを備え、複数のリブ１４は、少なくとも１つのリング拡径部１１ｄ１の直下に上端１４ａ１が配置された少なくとも１つの拡径部リブ１４ａと、少なくとも１つの空気導入孔１１ｂの直下に位置する少なくとも１つのリング間欠部１１ｄ２の直下に上端１４ｂ１が配置された少なくとも１つの間欠部リブ１４ｂとを備え、少なくとも１つの間欠部リブ１４ｂは、少なくとも１つの拡径部リブ１４ａの上端よりも上方に延長された延長部１４ｂ２を備えるという構成になっている。
【００３２】
したがって、本実施形態に係る二重容器１によれば、空気導入孔１１ｂからの十分な気道の確保と、口部１１に対する注出具の打栓作業の安定化との双方を可能にすることができる
【００３３】
また、本実施形態に係る二重容器１は、ネックリング１１ｄが口部１１の下端部よりも上方に設けられており、延長部１４ｂ２は、口部１１の下端部を越えて延在しているという構成になっている。
【００３４】
したがって、本実施形態に係る二重容器１によれば、より確実な気道の確保を実現することができる。
【００３５】
本発明は前記の実施形態に限定されるものではなく、その要旨を逸脱しない範囲で種々変更可能であることはいうまでもない。例えば、前記の実施形態においては、口部１１に一対の空気導入孔１１ｂを設け、これらの空気導入孔１１ｂに対応して、一対のリング間欠部１１ｄ２や一対のリブ群１４Ａを設けるようにしているが、空気導入孔１１ｂやリング間欠部１１ｄ２及びリブ群１４Ａは、それぞれ２つに限らず、１つまたは３つ以上設けることもできる。また、リブ群１４Ａに含めるリブ１４の本数も適宜変更が可能である。また、リブ１４は、少なくとも胴部１２の上部に設けられ、口部１１から底部１３に向かう方向に延びていればよく、その形状や長さは適宜変更が可能である。さらに、リブ１４は、径方向内側に向けて凹む凹溝を形成するものに限らず、径方向外側に向けて凸となる凸条を形成するものとしてもよい。また、口部１１、胴部１２及び底部１３はいずれも平面視円形状をなすものを例示したが、楕円形状や、その他の形状をなすものとしてもよい。
【実施例】
【００３６】
本発明による効果を確認するために、図１〜５に示した構成になる実施例としての二重容器を製作し、そのネックリングの強度を測定すると共に、注出キャップの打栓による装着の可否について確認した。また、装着した注出キャップから内容物を注出し、胴部がスムーズに復元するか否かを調べることにより、十分な気道が確保されているか否かを確認した。また、比較例１〜３として、図６（ａ）〜（ｃ）に示す構成の二重容器を製作し、実施例の場合と同様に、ネックリングの強度の測定、注出キャップの打栓の可否及び気道確保の良好性の確認を行った。
【００３７】
実施例及び比較例１〜３のいずれの場合も、二重容器はダイレクトブロー成形によって形成し、その容量は２００ｍｌとした。また、打栓力は３００Ｎとした。その結果を表１に示す。
【００３８】
【表１】
0006594771.tif 000002
【００３９】
表１から明らかなように、ネックリングが間欠部を有しておらず、また、４つのリブの上端がいずれも同一の高さとなっている図６（ａ）の比較例１では、ネックリングの強度が不足し、口部に注出キャップを打栓できなかった。また、そのため、気道確保の良好性について確認することはできなかった。また、ネックリングの間欠部が空気導入孔の直下に位置しておらず、また、４つのリブの上端がいずれも同一の高さとなっている図６（ｂ）の比較例２では、打栓はできたものの、気道の確保は不十分であった。さらに、ネックリングの間欠部が空気導入孔の直下に位置しているが、４つのリブの上端がいずれも同一の高さとなっている図６（ｃ）の比較例３でも、打栓はできたものの、気道の確保は不十分であった。これに対し、ネックリングの間欠部が空気導入孔の直下に位置し、また、その間欠部の直下にリブの延長部の上端が位置する図１〜図５の実施例では、打栓も、十分な気道の確保も可能であった。
【００４０】
以上の結果から、本発明に従い、ネックリングの間欠部を空気導入孔の直下に配置すると共に、その間欠部の直下にリブの延長部の上端を配置することで、注出具の打栓と十分な気道の確保との双方が実現できることが確認された。
【符号の説明】
【００４１】
１  二重容器
１０  外層体
１１  口部
１１ａ  係止突起
１１ｂ  空気導入孔
１１ｃ  段差部
１１ｄ  ネックリング
１１ｄ１  リング拡径部
１１ｄ２  リング間欠部
１１ｄ２１  第１リング間欠部
１１ｄ２２  第２リング間欠部
１２  胴部
１３  底部
１４  リブ
１４Ａ  リブ群
１４ａ  拡径部リブ
１４ａ１  拡径部リブの上端
１４ｂ  間欠部リブ
１４ｂ１  間欠部リブの上端
１４ｂ２  延長部
Ｏ  軸線
【図１】
0006594771.tif 000003
【図２】
0006594771.tif 000004
【図３】
0006594771.tif 000005
【図４】
0006594771.tif 000006
【図５】
0006594771.tif 000007
【図６】
0006594771.tif 000008